(57)【要約】【課題】携帯電話機で利用する画像データ、音声データなどのデータを、低コストで管理することを課題とする。【解決手段】携帯電話機１は、内蔵メモリ１４に格納していたコンテンツデータ１０１を、ネットワーク３を介して接続された拡張記憶装置４１に転送する。このとき、コンテンツデータ１０１は暗号化され、暗号に利用された鍵データ１０２と、コンテンツデータ１０１の格納場所を示すエイリアスデータ１０３と、コンテンツデータ１０１と鍵データ１０２との対応を示す関連データ１０４がメモリカード２に格納される。ユーザは、コンテンツを利用したい場合には、エイリアスデータ１０３を指定して再生指示を行う。これにより、データ再生部１３は、ネットワーク経由でコンテンツデータ１０１を取得し、鍵データ１０２を用いてデータを復号化して再生する。【選択図】図２
2007166125.tif 000002
【特許請求の範囲】
【請求項１】
携帯電話機と、
前記携帯電話機からアクセス可能なネットワークと、
前記ネットワークに接続されるストレージサーバと、
を備え、
前記ストレージサーバは、
前記ネットワークを介して前記携帯電話機によって使用される拡張記憶手段、
を有し、
前記携帯電話機は、前記拡張記憶手段にコンテンツデータを格納し、前記ネットワークを介してコンテンツデータを利用することを特徴とする記憶システム。
【請求項２】
請求項１に記載の記憶システムにおいて、さらに、
前記ネットワークに接続される情報蓄積装置、
を備え、
前記携帯電話機は、前記情報蓄積装置に蓄積されているコンテンツデータをダウンロードする場合、コンテンツデータを前記携帯電話機が備える記憶手段に蓄積することなく、直接前記拡張記憶手段に格納することを特徴とする記憶システム。
【請求項３】
請求項１または請求項２に記載の記憶システムにおいて、
前記携帯電話機は、前記拡張記憶手段に格納したコンテンツデータのエイリアスを、前記携帯電話機が内蔵する記憶手段あるいは前記携帯電話機に着脱可能な記憶手段に記録することで、前記拡張記憶手段に格納されているコンテンツデータの管理を行うことを特徴とする記憶システム。
【請求項４】
請求項１に記載の記憶システムにおいて、
前記携帯電話機は、コンテンツデータが著作権保護データである場合には、前記携帯電話機内で暗号化された状態となっているコンテンツデータを前記拡張記憶手段に格納することを特徴とする記憶システム。
【請求項５】
請求項２に記載の記憶システムにおいて、
前記情報蓄積装置からダウンロードするコンテンツデータが著作権保護データである場合には、コンテンツデータが、前記ネットワークに接続されている前記携帯電話機以外の装置において暗号化され、暗号化された著作権保護データが前記拡張記憶手段に格納されることを特徴とする記憶システム。
【請求項６】
請求項４または請求項５に記載の記憶システムにおいて、
前記携帯電話機は、前記拡張記憶手段に格納した暗号化されたコンテンツデータを解読するための鍵データを、前記携帯電話機が内蔵する記憶手段あるいは前記携帯電話機に着脱可能な記憶手段に記録することを特徴とする記憶システム。
【請求項７】
請求項６に記載の記憶システムにおいて、
前記携帯電話機は、暗号化され前記拡張記憶手段に格納されたコンテンツデータと前記鍵データとの関連情報を、前記携帯電話機が内蔵する記憶手段あるいは前記携帯電話機に着脱可能な記憶手段に記録することを特徴とする記憶システム。
【請求項８】
請求項６または請求項７に記載の記憶システムにおいて、さらに、
前記ネットワークに接続される再生機器、
を備え、
前記再生機器は、鍵データが格納された前記携帯電話機に着脱可能な記憶手段を読み込むことで、前記ネットワークを介して前記拡張記憶手段にアクセスし、暗号化されているコンテンツデータを解読して再生することを特徴とする記憶システム。
【請求項９】
請求項８に記載の記憶システムにおいて、
前記再生機器は、暗号化されたコンテンツデータを前記拡張記憶手段に格納するとともに、前記拡張記憶手段に格納した暗号化されたコンテンツデータを解読するための鍵データを、前記再生機器に着脱可能な記憶手段に記録することを特徴とする記憶システム。
【請求項１０】
請求項９に記載の記憶システムにおいて、
前記携帯電話機は、鍵データが格納された前記再生機器に着脱可能な記憶手段を読み込むことで、前記ネットワークを介して前記拡張記憶手段にアクセスし、暗号化されているコンテンツデータを解読して再生することを特徴とする記憶システム。
【請求項１１】
請求項６ないし請求項１０のいずれかに記載の記憶システムにおいて、
前記着脱可能な記憶手段は、セキュア機能を備えた記憶手段であり、鍵データは、セキュア機能により保護される領域に記録されることを特徴とする記憶システム。
【請求項１２】
請求項４ないし請求項１１のいずれかに記載の記憶システムにおいて、
個人が撮影したデジタル写真データを、著作権保護データと同様の扱いで前記拡張記憶装置に格納することを特徴とする記憶システム。
【請求項１３】
請求項１に記載の記憶システムにおいて、
前記携帯電話機は、
着脱可能な記憶手段、
を備え、
コンテンツデータが著作権保護データである場合には、前記着脱可能な記憶手段に格納されるコンテンツデータは、前記拡張記憶手段に対する少なくとも１回のコピーが許容され、前記拡張記憶手段にコピーされたコンテンツデータについては移動のみが許容されるようコピーコントロール情報が設定されることを特徴とする記憶システム。
【請求項１４】
請求項６ないし請求項１３のいずれかに記載の記憶システムにおいて、
前記着脱可能な記憶手段は、
メモリカード、
を含むことを特徴とする記憶システム。
【請求項１５】
請求項１４に記載の記憶システムにおいて、
前記メモリカードは、
追記機能を備えたＯＴＰメモリ、
を含むことを特徴とする記憶システム。
【請求項１６】
請求項１ないし請求項１５のいずれかに記載の記憶システムにおいて、
前記拡張記憶手段は、
前記ネットワークに接続されたレンタルサーバ、
を含むことを特徴とする記憶システム。
【請求項１７】
請求項１ないし請求項１５のいずれかに記載の記憶システムにおいて、
前記拡張記憶手段は、
前記ネットワークに接続されたパーソナルコンピュータ、ＡＶ機器またはハードディスクレコーダ、
を含むことを特徴とする記憶システム。
【発明の詳細な説明】
【技術分野】
【０００１】
本発明は、携帯電話機で利用するデータの管理技術に関する。
【背景技術】
【０００２】
携帯電話機には、本来の通話機能に加えて様々な機能が付加されている。携帯電話機は、データ通信機能を備えることにより、ネットワークに接続されたサーバから画像データや音声データをダウンロードすることが可能である。また、携帯電話機は、画像や音声の再生機能を備えることにより、ダウンロードした画像や音声を再生することを可能としている。また、携帯電話機は、カメラを備えることにより、デジタルカメラとして利用されるようになっている。
【０００３】
ダウンロードしたデータや撮影により得られたデータの格納先としては、携帯電話機の内蔵メモリが選択される場合と、携帯電話機に着脱可能なメモリカードが選択される場合とがある。一般的には、内蔵メモリの容量は小さいため、内蔵メモリに多くのコンテンツデータを格納することは難しい。したがって、ユーザは、内蔵メモリの容量が足りなくなってくると、フラッシュメモリカードを携帯電話機に装着して、コンテンツデータをメモリカードに格納するようにしている。特に、最近では、着信メロディなどの音声ファイルの容量も大きくなる傾向にあり、メモリカードにデータを格納する場合が多い。
【発明の開示】
【発明が解決しようとする課題】
【０００４】
上記のように、携帯電話機でダウンロードしたコンテンツデータや撮影データの格納媒体としては、メモリカードが用いられている。最近のメモリカードは容量が５１２ＭＢや１ＧＢなど大容量のものが存在するので比較的多くのデータを蓄積することが可能である。
【０００５】
しかしながら、メモリカードの容量が大きくなったといっても、ハードディスク装置等の記憶装置と比較すると、ビットあたりの単価は高価である。ダウンロードするコンテンツデータの量が多くなると、それらデータを蓄積するためには何枚ものメモリカードが必要となるが、多くのメモリカードを所有することは、ユーザにとって経済的負担が大きい。一部の携帯電話機では、小型ハードディスクを搭載し、比較的ビット単価が低く抑えられるようになっているが、第一に端末の構成が大型化するという問題がある。また、携帯電話機などのように常に持ち歩く端末にとっては、内蔵ハードディスクは耐久性の点で課題が多い。また、ビット単価の点についても、デスクトップパソコンなどで使用されるハードディスクと比較するとやはりコストが高い。
【０００６】
そこで、本発明は前記問題点に鑑み、携帯電話機で利用するデータを低コストで管理する技術を提供することを目的とする。
【課題を解決するための手段】
【０００７】
上記課題を解決するため、請求項１記載の発明は、携帯電話機と、前記携帯電話機からアクセス可能なネットワークと、前記ネットワークに接続されるストレージサーバと、を備え、前記ストレージサーバは、前記ネットワークを介して前記携帯電話機によって使用される拡張記憶手段、を有し、前記携帯電話機は、前記拡張記憶手段にコンテンツデータを格納し、前記ネットワークを介してコンテンツデータを利用することを特徴とする。
【０００８】
請求項２記載の発明は、請求項１に記載の記憶システムにおいて、さらに、前記ネットワークに接続される情報蓄積装置、を備え、前記携帯電話機は、前記情報蓄積装置に蓄積されているコンテンツデータをダウンロードする場合、コンテンツデータを前記携帯電話機が備える記憶手段に蓄積することなく、直接前記拡張記憶手段に格納することを特徴とする。
【０００９】
請求項３記載の発明は、請求項１または請求項２に記載の記憶システムにおいて、前記携帯電話機は、前記拡張記憶手段に格納したコンテンツデータのエイリアスを、前記携帯電話機が内蔵する記憶手段あるいは前記携帯電話機に着脱可能な記憶手段に記録することで、前記拡張記憶手段に格納されているコンテンツデータの管理を行うことを特徴とする。
【００１０】
請求項４記載の発明は、請求項１に記載の記憶システムにおいて、前記携帯電話機は、コンテンツデータが著作権保護データである場合には、前記携帯電話機内で暗号化された状態となっているコンテンツデータを前記拡張記憶手段に格納することを特徴とする。
【００１１】
請求項５記載の発明は、請求項２に記載の記憶システムにおいて、前記情報蓄積装置からダウンロードするコンテンツデータが著作権保護データである場合には、コンテンツデータが、前記ネットワークに接続されている前記携帯電話機以外の装置において暗号化され、暗号化された著作権保護データが前記拡張記憶手段に格納されることを特徴とする。
【００１２】
請求項６記載の発明は、請求項４または請求項５に記載の記憶システムにおいて、前記携帯電話機は、前記拡張記憶手段に格納した暗号化されたコンテンツデータを解読するための鍵データを、前記携帯電話機が内蔵する記憶手段あるいは前記携帯電話機に着脱可能な記憶手段に記録することを特徴とする。
【００１３】
請求項７記載の発明は、請求項６に記載の記憶システムにおいて、前記携帯電話機は、暗号化され前記拡張記憶手段に格納されたコンテンツデータと前記鍵データとの関連情報を、前記携帯電話機が内蔵する記憶手段あるいは前記携帯電話機に着脱可能な記憶手段に記録することを特徴とする。
【００１４】
請求項８記載の発明は、請求項６または請求項７に記載の記憶システムにおいて、さらに、前記ネットワークに接続される再生機器、を備え、前記再生機器は、鍵データが格納された前記携帯電話機に着脱可能な記憶手段を読み込むことで、前記ネットワークを介して前記拡張記憶手段にアクセスし、暗号化されているコンテンツデータを解読して再生することを特徴とする。
【００１５】
請求項９記載の発明は、請求項８に記載の記憶システムにおいて、前記再生機器は、暗号化されたコンテンツデータを前記拡張記憶手段に格納するとともに、前記拡張記憶手段に格納した暗号化されたコンテンツデータを解読するための鍵データを、前記再生機器に着脱可能な記憶手段に記録することを特徴とする。
【００１６】
請求項１０記載の発明は、請求項９に記載の記憶システムにおいて、前記携帯電話機は、鍵データが格納された前記再生機器に着脱可能な記憶手段を読み込むことで、前記ネットワークを介して前記拡張記憶手段にアクセスし、暗号化されているコンテンツデータを解読して再生することを特徴とする。
【００１７】
請求項１１記載の発明は、請求項６ないし請求項１０のいずれかに記載の記憶システムにおいて、前記着脱可能な記憶手段は、セキュア機能を備えた記憶手段であり、鍵データは、セキュア機能により保護される領域に記録されることを特徴とする。
【００１８】
請求項１２記載の発明は、請求項４ないし請求項１１のいずれかに記載の記憶システムにおいて、個人が撮影したデジタル写真データを、著作権保護データと同様の扱いで前記拡張記憶装置に格納することを特徴とする。
【００１９】
請求項１３記載の発明は、請求項１に記載の記憶システムにおいて、前記携帯電話機は、着脱可能な記憶手段、を備え、コンテンツデータが著作権保護データである場合には、前記着脱可能な記憶手段に格納されるコンテンツデータは、前記拡張記憶手段に対する少なくとも１回のコピーが許容され、前記拡張記憶手段にコピーされたコンテンツデータについては移動のみが許容されるようコピーコントロール情報が設定されることを特徴とする。
【００２０】
請求項１４記載の発明は、請求項６ないし請求項１３のいずれかに記載の記憶システムにおいて、前記着脱可能な記憶手段は、メモリカード、を含むことを特徴とする。
【００２１】
請求項１５記載の発明は、請求項１４に記載の記憶システムにおいて、前記メモリカードは、追記機能を備えたＯＴＰメモリ、を含むことを特徴とする。
【００２２】
請求項１６記載の発明は、請求項１ないし請求項１５のいずれかに記載の記憶システムにおいて、前記拡張記憶手段は、前記ネットワークに接続されたレンタルサーバ、を含むことを特徴とする。
【００２３】
請求項１７記載の発明は、請求項１ないし請求項１５のいずれかに記載の記憶システムにおいて、前記拡張記憶手段は、前記ネットワークに接続されたパーソナルコンピュータ、ＡＶ機器またはハードディスクレコーダ、を含むことを特徴とする。
【発明の効果】
【００２４】
本発明によれば、携帯電話機は、ネットワークを介して接続された拡張記憶装置にコンテンツデータを格納し、ネットワーク経由でコンテンツデータを利用する。これにより、携帯電話機の内蔵メモリやメモリカードの容量を気にすることなく、多数のコンテンツを利用可能である。
【００２５】
また、半導体メモリと比べて、ビット単価の安いハードディスクを拡張記憶装置として利用することが可能であり、コンテンツの管理コストを低く抑えることが可能である。
【００２６】
また、サーバに蓄積されているコンテンツについては、ダウンロードを行って、直接拡張記憶装置に格納する。これにより、内蔵メモリやメモリカードの容量が少ない場合にも、データサイズの大きいコンテンツをダウンロードして利用可能である。
【発明を実施するための最良の形態】
【００２７】
｛第１の実施の形態｝
以下、図面を参照しつつ本発明の実施の形態について説明する。図１および図２は、第１の実施の形態に係る記憶システムのシステム構成図である。具体的には、図１は、コンテンツデータ１０１が、携帯電話機１に格納されている状態、つまり、携帯電話機１が拡張記憶装置４１を利用する前の状態である。図２は、コンテンツデータ１０１が、ストレージサーバ４に転送された後の状態、つまり、携帯電話機１が拡張記憶装置４１を利用している状態を示している。
【００２８】
図１に示すように、この記憶システムは、携帯電話機１、ストレージサーバ４、そして、携帯電話機１とストレージサーバ４が接続されるネットワーク３を備えて構成される。
【００２９】
携帯電話機１は、本来の音声通話機能に加え、各種の機能を備えている。携帯電話機１は、データ通信機能を備えることにより、電子メールの送受信、Ｗｅｂページの閲覧、画像データ、音声データなど各種データのダウンロードなどを実行可能としている。ネットワーク３は、携帯電話回線網、光ファイバー網、インターネット網などから構成される。ストレージサーバ４は、パーソナルコンピュータ、ワークステーションなどのコンピュータであり、大容量のハードディスク装置を備えている。このハードディスク装置は、携帯電話機１の拡張記憶装置４１として利用される。なお、ストレージサーバ４としては、他にもネットワーク機能を備えたＡＶ機器やハードディスクレコーダを利用してもよい。
【００３０】
携帯電話機１は、図に示すように、データ転送部１１、暗号処理部１２、データ再生部１３、内蔵メモリ１４、カメラ１６を備えている。また、携帯電話機１は、メモリカードスロット１５を備えており、メモリカードスロット１５にメモリカード２を挿入することで、メモリカード２に対するデータの書き込みや、データの読み出しを行うことを可能としている。
【００３１】
なお、本実施の形態において、メモリカード２として、データを１回に限り書込み可能なＯＴＰ（One Time Programmable）タイプのメモリを使用することとしている。ＯＴＰメモリは、複数回のデータ書込みを保障する機能が省略されることにより、一般のＭＴＰ（Multi Time Programmable）タイプのフラッシュメモリに比べてメモリの単価が低くなっている。また、本実施の形態では、メモリカード２として、追記可能なＯＴＰメモリを使用することとしている。メモリカード２として、たとえば、ＳＤメモリカード、ＭＭＣ、ｘＤカードなどが例として挙げられる。
【００３２】
データ転送部１１は、携帯電話機１とストレージサーバ４との間でデータの送受信を行う処理部である。暗号処理部１２は、著作権により保護されたデータなど、ストレージサーバ４に転送するコンテンツデータ１０１に暗号処理を施す処理部である。データ再生部１３は、コンテンツデータ１０１の再生を行う処理部である。たとえば、データ再生部１３は、静止画データの描画処理、動画データの再生、音声データの再生を行う。また、データ再生部１３は、コンテンツデータ１０１が暗号化されている場合は、暗号の解読も行う。内蔵メモリ１４は、携帯電話機１に内蔵されているメモリであり、コンテンツデータ１０１が格納されている。内蔵メモリ１４としては、フラッシュメモリなどが用いられる。コンテンツデータ１０１は、静止画データ、動画データ、音声データなどであり、これらデータは、インターネット等のネットワーク上のサーバからダウンロードされるか、電子メールの添付ファイルとして受信することなどにより得られる。あるいは、カメラ１６により得られる撮影画像データである場合や、メモリカード２を媒介として取得された各種のデータである場合もある。
【００３３】
メモリカード２は、本実施の形態においては、セキュア機能を備えたものを使用している。メモリカード２は、セキュア領域２１とデータ領域２２を備えている。データ領域２２は、通常のデータが書き込まれる領域である。したがって、データ領域２２は、ユーザにより自由にデータの記録が行われる（メモリカードがＭＴＰタイプのものであれば、自由にデータの記録と消去が行われる。）。これに対してセキュア領域２１に記録されたデータは複製することが不可能となっている。たとえば、著作権保護機能を備えたＳＤメモリカードなどが、そのようなセキュア領域を備えており、セキュア領域２１として利用することができる。
【００３４】
上述したように、携帯電話機１のユーザは、ダウンロードなどにより得たコンテンツデータ１０１を携帯電話機１の内蔵メモリ１４に格納している。あるいは、コンテンツデータ１０１をメモリカード２に格納している。しかし、内蔵メモリ１４やメモリカード２の容量にも制限があるため、以下のような処理を実行することにより、コンテンツデータ１０１を拡張記憶装置４１に転送して格納するのである。
【００３５】
まず、データ転送部１１は、内蔵メモリ１４に格納されているコンテンツデータ１０１を拡張記憶装置４１に移動させるのである。図２は、データ転送部１１によりコンテンツデータ１０１の転送が行われた後の状態を示す図である（拡張記憶装置４１に格納されるコンテンツデータ１０１は、後で説明するように暗号化されるため、厳密には異なるデータであるが、説明を簡単にするために同じ符号を用いることとする。以下、同様。）。また、内蔵メモリ１４に格納されていたコンテンツデータ１０１は削除されている。これにより、内蔵メモリ１４の空き容量を作ることが可能である。コンテンツデータ１０１がメモリカード２に格納されている場合も、同様に、データ転送部１１が、コンテンツデータ１０１を拡張記憶装置４１に移動させる。
【００３６】
ここで、拡張記憶装置４１は、あらかじめ携帯電話機１の拡張ドライブとして認識されるように設定されている。つまり、携帯電話機１は、拡張記憶装置４１に格納されているデータを、内蔵メモリ１４やメモリカード２に格納されているデータと同様の方法でアクセスすることが可能である。したがって、拡張記憶装置４１に格納されたコンテンツデータ１０１が画像データや音声データである場合、データ再生部１３は、内蔵メモリ１４やメモリカード２に格納されているデータに対する処理と同様の方法で、それらデータを再生することが可能である。
【００３７】
また、コンテンツデータ１０１が著作権で保護されたデータである場合には、データ転送部１１がデータを転送する前に、暗号処理部１２によってコンテンツデータ１０１が暗号化され、暗号化されたコンテンツデータ１０１が拡張記憶装置４１に格納される。もちろん、著作権で保護されるデータのみならず、第三者の閲覧を排除したい場合などにおいても、コンテンツデータ１０１を暗号化すればよい。たとえば、コンテンツデータ１０１が、カメラ１６で撮影された画像データであって、第三者の閲覧を許可したくない場合などにも有効である。
【００３８】
そして、暗号処理部１２は、暗号化に使用した鍵データ１０２を、メモリカード２のセキュア領域２１に記録するのである。図２は、鍵データ１０２がメモリカード２に記録された状態を示している。このセキュア領域２１に記録されたデータは、複製することができない。したがって、拡張記憶装置４１に格納されたコンテンツデータ１０１を復号化するためには、必ずメモリカード２が必要となる。つまり、拡張記憶装置４１に格納されたコンテンツデータ１０１を利用することができるのは、メモリカード２を所有しているユーザだけであるので、著作権保護されたデータが違法にコピーされ、第三者に利用されることを防止できるのである。
【００３９】
あるいは、撮影画像のように、コンテンツデータ１０１が、第三者の閲覧を排除したいデータである場合にも、メモリカード２を所有しているユーザのみが閲覧可能となり、プライバシーの保護を図ることが可能である。
【００４０】
また、メモリカード２のデータ領域２２には、データ転送部１１によってエイリアスデータ１０３が記録され、暗号処理部１２によって関連データ１０４が記録される。図２は、エイリアスデータ１０３および関連データ１０４がメモリカード２に記録された状態を示している。
【００４１】
エイリアスデータ１０３は、拡張記憶装置４１に格納されるコンテンツデータ１０１へのリンク情報が記録されたデータである。したがって、エイリアスデータ１０３は、非常にサイズの小さいデータである。ユーザは、通常の画像データや音声データにアクセスする場合と同様に、エイリアスデータ１０３にアクセスする。そして、エイリアスデータ１０３に対して、再生等の処理操作を行う。これにより、データ再生部１３が、エイリアスデータ１０３に対する再生処理を実行すると、エイリアスデータ１０３で指定されている情報を元に、拡張記憶装置４１に格納されているコンテンツデータ１０１が再生されるのである。言い換えると、エイリアスデータ１０３が、実体のないコンテンツデータとしてメモリカード２に格納されており、ユーザは、通常のコンテンツデータと同じ扱いでエイリアスデータ１０３を選択して実行することにより、ネットワーク上に存在する画像データや音声データの再生が実行されるのである。
【００４２】
関連データ１０４は、鍵データ１０２と暗号化されたコンテンツデータ１０１との関連を記録したデータである。上述したように、暗号処理部１２は、拡張記憶装置４１に格納するコンテンツデータ１０１を暗号化した後、暗号処理に用いた鍵データ１０２をセキュア領域２１に格納する。そして、暗号処理部１２は、拡張記憶装置４１に格納したコンテンツデータ１０１と、その暗号化に用いた鍵データ１０２とを関連付ける関連データ１０４をデータ領域２２に格納するのである。これにより、暗号化されたコンテンツデータ１０１と暗号鍵との対応が明確となる。また、携帯電話機１は、拡張記憶装置４１に格納する複数のコンテンツデータ１０１について、異なる暗号鍵を用いることが可能である。この場合にも、関連データ１０４を参照することで、それぞれのコンテンツデータ１０１の復号に必要となる鍵が特定される。
【００４３】
このように、本実施の形態によれば、携帯電話機１は、ネットワーク３に接続されたストレージサーバ４が備えるハードディスク装置を拡張記憶装置４１として利用するので、多数の画像データや音声データをビット単価の安い記憶装置に蓄積しておくことが可能である。また、拡張記憶装置４１は、ネットワーク３を介して、いつでもアクセス可能であるので、大容量の拡張記憶装置４１に格納している多数のコンテンツデータ１０１を、好きなときに選択して利用することが可能である。言い換えると、ユーザは、非常に大きな容量を持つハードディスクに非常に多くのコンテンツデータを蓄積した状態で、携帯電話機１を利用することが可能であり、好きな場所、好きな時間に、それらコンテンツを楽しむことができるのである。
【００４４】
また、メモリカード２に格納される鍵データ１０２、エイリアスデータ１０３、関連データ１０４は、非常にサイズの小さいデータである。したがって、拡張記憶装置４１内に非常に多数のコンテンツデータ１０１を格納した場合にも、１枚のメモリカード２で多数の鍵データ等を格納することが可能である。これにより、１枚のメモリカード２を利用して、非常に多数のコンテンツデータ１０１を再生するなどして利用可能である。さらには、メモリカード２として単価の安いＯＴＰメモリを使用しているので、ユーザに掛かる経済的負担を小さくすることが可能である。
【００４５】
また、コンテンツデータ１０１が著作権で保護されたデータである場合には、暗号化データとして拡張記憶装置４１に格納される。したがって、第三者は、この拡張記憶装置４１に格納されているコンテンツデータ１０１にアクセスしても利用することができないので、著作権保護データが不正に利用されることはない。そして、その暗号化に用いた鍵データ１０２は、暗号処理を行った携帯電話機１にセットされていたメモリカード２に記録されるので、携帯電話機１のユーザは、そのメモリカード２を携帯電話機１にセットすることで、いつでもコンテンツデータ１０１を利用することが可能である。
【００４６】
さらに、本実施の形態においては、メモリカード２がセキュア機能を備えており、データの複製を行うことができないセキュア領域２１に鍵データ１０２が記録される。したがって、携帯電話機１のユーザのみに暗号化されたコンテンツデータ１０１の利用権が与えられるので、著作権保護データを安心してユーザに提供することができる。
【００４７】
ここで、本実施の形態のように、鍵データ１０２がセキュア機能付のメモリカード２に記録される場合には、たとえ拡張記憶装置４１に格納されたコンテンツデータ１０１が他の記憶媒体に複製されたとしても、その鍵データ１０２が記録されているメモリカード２を入手しない限りコンテンツデータ１０１が不正に利用されることはない。しかし、メモリカード２がセキュア機能を備えていない場合には、拡張記憶装置４１に格納されているコンテンツデータ１０１が複製されることを防止する必要がある。
【００４８】
そこで、コンテンツデータ１０１にコピーコントロール情報を埋め込み、１回のみ複製を許可し、一度複製されたデータについては、移動にのみ可能とするようにすればよい。つまり、図３に示すように、携帯電話機１の内蔵メモリ１４に格納されているコンテンツデータ１０１（このデータは、料金等が正規に支払われることにより得られたデータである。）は、１回だけ他の記憶媒体（ここでは拡張記憶装置４１）に複製可能とする。そして、その拡張記憶装置４１に複製されたコンテンツデータ１０１は、他の記憶媒体に移動させることは許可するが、一切の複製を許可しないようにするのである。これにより、著作権で保護されたデータが違法に複製されることを防止することができる。同様に、メモリカード２に格納されているコンテンツデータ１０１についても、１回だけ拡張記憶装置４１に複製できるようにし、後は、移動のみ許可するようにすればよい。
【００４９】
たとえば、ユーザは、永久保存を目的として、コンテンツが格納された比較的小容量のＯＴＰタイプのメモリカードを収集する。このＯＴＰタイプのメモリカードには、コンテンツが感覚的にわかりやすいように、ジャケットがつけられる。そして、ユーザは、このようなＯＴＰメモリをアルバムのようにして収集する一方、著作権保護を維持しつつ、より大きな容量の記憶システム上にコンテンツをコピーすることで、全てのデータを一元管理することができるのである。なお、ここでは、コンテンツデータ１０１のコピーを１回だけ許容し、その後、移動のみ可能として説明したが、コピー回数を２回あるいは３回など、所定回数だけ許容するようにしてもよい。
【００５０】
なお、上記の実施の形態においては、鍵データ１０２、エイリアスデータ１０３、関連データ１０４を全てメモリカード２に格納するようにしたが、これらのデータ全部あるいは一部を内蔵メモリ１４に格納するようにしてもよい。
【００５１】
また、本実施の形態において、ストレージサーバ４として、パーソナルコンピュータやＡＶ機器、ハードディスクレコーダを利用可能であると説明した。これら装置は、ユーザが自ら所有するものであってもよいが、プロバイダ等により供給されるレンタルサーバを用いると利便性がよい。１台のレンタルサーバが備えるハードディスクを複数のユーザが共有して利用する形態であれば、利用コストも低く抑えることが可能である。
【００５２】
｛第２の実施の形態｝
次に、本発明の第２の実施の形態について説明する。図４および図５は、第２の実施の形態に係る記憶システムのシステム構成図である。具体的には、図４は、コンテンツサーバ５に格納されているコンテンツデータ１０５がダウンロードされる前の状態、つまり、携帯電話機１が拡張記憶装置４１を利用する前の状態である。図５は、コンテンツデータ１０５が、ストレージサーバ４に転送された後の状態、つまり、携帯電話機１が拡張記憶装置４１を利用している状態を示している。なお、図４、図５において、図１、図２と同じ符号を付している構成は、第１の実施の形態と同様の構成であるので、その説明は省略する。
【００５３】
図４に示すように、この記憶システムは、携帯電話機１、ストレージサーバ４、コンテンツサーバ５、そして、携帯電話機１とストレージサーバ４とコンテンツサーバ５が接続されるネットワーク３を備えて構成される。
【００５４】
コンテンツサーバ５は、記憶装置５１内に、静止画データ、動画データ、音声データなどのコンテンツデータ１０５を蓄積している。これらコンテンツデータ１０５は、ユーザがダウンロード可能な状態となっている。携帯電話機１のユーザは、コンテンツサーバ５にアクセスして、コンテンツデータ１０５をダウンロードして利用する。
【００５５】
携帯電話機１は、図に示すように、ダウンロード処理部１７、データ再生部１３、内蔵メモリ１４、メモリカードスロット１５を備えている。ダウンロード処理部１７は、コンテンツサーバ５が蓄積しているデータをネットワーク３経由でダウンロードする処理部である。ダウンロード処理部１７は、ダウンロードしたデータを、携帯電話機１内の記憶手段（内蔵メモリ１４あるいはメモリカード２）に蓄積することなく、直接拡張記憶装置４１に格納するようにしている。このように、ダウンロード処理部１７が、ダウンロードするデータを、携帯電話機１内の記憶手段に格納することなく、直接拡張記憶装置４１に格納するので、携帯電話機１の内蔵メモリ１４やメモリカード２の空き容量が少ない場合にも、コンテンツデータ１０５をダウンロードして利用することが可能である。
【００５６】
第１の実施の形態と異なり、携帯電話機１は、暗号処理部を備えていない。第２の実施の形態においては、コンテンツサーバ５が暗号処理部５２を備えている。第２の実施の形態においては、コンテンツデータ１０５が著作権で保護されたデータである場合には、コンテンツサーバ５が備える暗号処理部５２によって暗号処理が施される。そして、ダウンロード処理部１７は、暗号化された後のコンテンツデータ１０５をダウンロードして、拡張記憶装置４１に格納するのである。なお、本実施の形態においては、コンテンツサーバ５において暗号処理を行うようにしたが、暗号処理を行う装置は、携帯電話機１以外の装置であれば、特に限定されない。たとえば、ネットワーク３に接続された他のコンピュータにより実行されてもよい。また、他のコンピュータであらかじめコンテンツデータ１０５を暗号化し、コンテンツサーバ５に格納しておいても良い。いずれにしても、携帯電話機１以外の装置で暗号処理を実行するようにすることで、携帯電話機１は、ダウンロードするコンテンツデータ１０５を、携帯電話機１内に一時的に格納することなく、直接拡張記憶装置４１に格納することが可能である。鍵データ１０６は、コンテンツサーバ５よりネットワーク３を経由してメモリカード２のセキュア領域２１に送られる。これら暗号化前のコンテンツ、および鍵情報をネットワーク３に流す場合は、コンテンツサーバ５と端末間で、少なくとも一時鍵による暗号化通信を行うことが望ましい。
【００５７】
上述したように、コンテンツサーバ５は、コンテンツデータ１０５を記憶装置５１内に蓄積している。そして、ユーザは、このコンテンツデータ１０５をダウンロードして、携帯電話機１内の記憶手段に格納することも可能である。しかし、内蔵メモリ１４やメモリカード２の容量にも制限があるため、以下のような処理を実行することにより、コンテンツデータ１０５を拡張記憶装置４１に転送して格納するのである。
【００５８】
まず、ダウンロード処理部１７は、コンテンツサーバ５の記憶装置５１に格納されているコンテンツデータ１０５の複製を拡張記憶装置４１に転送する。図５は、ダウンロード処理部１７によりコンテンツデータ１０５の転送が行われた後の状態を示す図である。
【００５９】
また、コンテンツデータ１０５が著作権で保護されたデータである場合には、ダウンロード処理部１７がデータをダウンロードする前に、暗号処理部５２によってコンテンツデータ１０５が暗号化され、暗号化されたコンテンツデータ１０５が拡張記憶装置４１に格納される。なお、拡張記憶装置４１に格納されたコンテンツデータ１０５は、暗号化されているため、厳密的には、コンテンツサーバ５に格納されていたものと異なるデータであるが、説明を簡単にするため、同一の符号を用いて説明する。
【００６０】
また、ダウンロード処理部１７は、暗号処理部５２が暗号化に使用した鍵データ１０６をダウンロードし、メモリカード２のセキュア領域２１に記録するのである。また、メモリカード２のデータ領域２２には、ダウンロード処理部１７によってエイリアスデータ１０７、関連データ１０８が記録される。図５は、鍵データ１０６、エイリアスデータ１０７および関連データ１０８がメモリカード２に記録された状態を示している。
【００６１】
エイリアスデータ１０７は、拡張記憶装置４１に格納されるコンテンツデータ１０５へのリンク情報が記録されたデータである。関連データ１０８は、鍵データ１０６と暗号化されたコンテンツデータ１０５との関連を記録したデータである。
【００６２】
このように、本実施の形態によれば、携帯電話機１は、ネットワーク３に接続されたストレージサーバ４が備えるハードディスク装置を拡張記憶装置４１として利用するので、多数の画像データや音声データをダウンロードして、ビット単価の安い記憶装置に蓄積しておくことが可能である。また、拡張記憶装置４１は、ネットワーク３を介して、いつでもアクセス可能であるので、大容量の拡張記憶装置４１に格納している多数のコンテンツデータ１０５を、好きなときに選択して利用することが可能である。
【００６３】
また、コンテンツデータ１０５が著作権で保護されたデータである場合には、暗号化データとして拡張記憶装置４１に格納される。したがって、第三者は、この拡張記憶装置４１に格納されているコンテンツデータ１０５にアクセスしても利用することができないので、著作権保護データが不正に利用されることはない。そして、その暗号化に用いた鍵データ１０６は、ダウンロード処理を行った携帯電話機１にセットされていたメモリカード２に記録されるので、携帯電話機１のユーザは、そのメモリカード２を携帯電話機１にセットすることで、いつでもコンテンツデータ１０５を利用することが可能である。
【００６４】
さらに、メモリカード２がセキュア機能を備えており、データの複製を行うことができないセキュア領域２１に鍵データ１０６が記録される。したがって、携帯電話機１のユーザのみに暗号化されたコンテンツデータ１０５の利用権が与えられるので、著作権保護データを安心してユーザに提供することができる。
【００６５】
なお、上記の実施の形態においては、鍵データ１０６、エイリアスデータ１０７、関連データ１０８を全てメモリカード２に格納するようにしたが、これらのデータ全部あるいは一部を内蔵メモリ１４に格納するようにしてもよい。
【００６６】
｛第３の実施の形態｝
次に、本発明の第３の実施の形態について説明する。第３の実施の形態は、第２の実施の形態を拡張したものである。第３の実施の形態では、携帯電話機１に加えて、他の端末においても、拡張記憶装置４１に格納されたデータを利用する。ここでは、他の端末として、セットトップボックス６を例に説明する。
【００６７】
図６および図７は、第３の実施の形態に係る記憶システムのシステム構成図である。具体的には、図６は、コンテンツサーバ５に格納されているコンテンツデータ１０５がダウンロードされる前の状態、つまり、携帯電話機１あるいはセットトップボックス６が拡張記憶装置４１を利用する前の状態である。図７は、コンテンツデータ１０５が、ストレージサーバ４に転送された後の状態、つまり、携帯電話機１あるいはセットトップボックス６が拡張記憶装置４１を利用している状態を示している。
【００６８】
図６に示すように、第３の実施の形態においては、ネットワーク３にセットトップボックス６が接続されている。セットトップボックス６は、テレビに接続され、テレビに様々な機能を付加する機器である。セットトップボックス６は、ネットワーク３に接続しており、インターネットを含むネットワークサービスが受けられるようになっている。本実施の形態において、ユーザは、自宅においては、主にセットトップボックス６を利用して、ストレージサーバ４に格納されたコンテンツデータ１０５にアクセスし、外出先では、携帯電話機１を利用して、コンテンツサーバ１０５にアクセスする。
【００６９】
セットトップボックス６は、ダウンロード処理部６１、データ再生部６２、内蔵メモリ６３を備えている。ダウンロード処理部６１は、コンテンツサーバ５が蓄積しているコンテンツデータ１０５のダウンロードを行う処理部である。ダウンロード処理部６１は、ダウンロードしたコンテンツデータ１０５を、直接拡張記憶装置４１に格納する。データ再生部６２は、コンテンツデータ１０５の再生を行う処理部である。たとえば、静止画データの描画、動画データの再生、音声データの再生処理などを行う。また、セットトップボックス６は、メモリカードスロット６４を備えており、メモリカードスロット６４に挿入されたメモリカード２に格納されたデータにアクセスすることが可能である。
【００７０】
次に、この実施の形態における記憶システムの利用方法について説明する。まず、第２の実施の形態と同様の処理を行うことにより、携帯電話機１がコンテンツサーバ５に格納されているコンテンツデータ１０５をダウンロードする。このコンテンツデータ１０５は、携帯電話機１に蓄積されることなく、直接ストレージサーバ４が備える拡張記憶装置４１に格納される。また、図７に示すように、メモリカード２内には、鍵データ１０６、エイリアスデータ１０７、関連データ１０８が格納される。
【００７１】
たとえば、ユーザは、外出先で携帯電話機１を利用してコンテンツデータ１０５のダウンロードを行ったとする。次に、自宅に帰ったユーザは、携帯電話機１からメモリカード２を取り出し、セットトップボックス６のメモリカードスロット６４にセットするのである。これにより、セットトップボックス６は、メモリカード２にアクセスし、鍵データ１０６、エイリアスデータ１０７、関連データ１０８を取得する。
【００７２】
次に、ユーザが、メモリカード２が装着されたセットトップボックス６を操作して、コンテンツデータ１０５の再生指示を行う。これにより、データ再生部６２が、コンテンツデータ１０５の再生を実行するのである。具体的には、ユーザが、エイリアスデータ１０７を指定して再生指示を行うと、データ再生部６２が、拡張記憶装置４１に格納されているコンテンツデータ１０５の再生を実行するのである。また、コンテンツデータ１０５を復号するための鍵データ１０６もメモリカード２のセキュア領域２１に格納されているので、データ再生部６２は、この鍵を利用してコンテンツデータ１０５の復号を行うのである。また、処理対象であるコンテンツデータ１０５に対応する鍵データ１０６は、関連データ１０８を参照することで特定される。
【００７３】
これにより、ユーザが、携帯電話機１でダウンロード処理を実行したコンテンツデータ１０５を、セットトップボックス６で再生可能であり、ユーザは、テレビ画面で画像を閲覧することや、音声を再生して楽しむことが可能である。
【００７４】
次に、別の利用方法について説明する。まず、セットトップボックス６のダウンロード処理部６１が、コンテンツサーバ５に格納されているコンテンツデータ１０５をダウンロードする。このコンテンツデータ１０５は、セットトップボックス６に蓄積されることなく、直接ストレージサーバ４が備える拡張記憶装置４１に格納される。携帯電話機１がダウンロード処理を実行した場合と同様に、図７に示すように、メモリカード２内には、鍵データ１０６、エイリアスデータ１０７、関連データ１０８が格納される。つまり、ダウンロード処理部６１によって、鍵データ１０６、エイリアスデータ１０７、関連データ１０８が、メモリカード２に書き込まれるのである。
【００７５】
たとえば、ユーザは、自宅でセットトップボックス６を利用してコンテンツデータ１０５のダウンロードを行ったとする。次に、外出するユーザは、セットトップボックス６からメモリカード２を取り出し、携帯電話機１のメモリカードスロット１５にメモリカード２をセットするのである。これにより、携帯電話機１は、メモリカード２にアクセスし、鍵データ１０６、エイリアスデータ１０７、関連データ１０８を取得する。
【００７６】
外出先において、ユーザが、携帯電話機１を操作して、コンテンツデータ１０５の再生指示を行う。これにより、データ再生部１３が、コンテンツデータ１０５の再生を実行するのである。具体的には、ユーザが、エイリアスデータ１０７を指定した再生指示を行うと、データ再生部１３が、拡張記憶装置４１に格納されているコンテンツデータ１０５の再生を実行するのである。また、コンテンツデータ１０５を復号するための鍵データ１０６もメモリカード２のセキュア領域２１に格納されているので、データ再生部１３は、この鍵を利用してコンテンツデータ１０５の復号を行うのである。また、処理対象であるコンテンツデータ１０５に対応する鍵データ１０６は、関連データ１０８を参照することで特定される。
【００７７】
これにより、ユーザが、セットトップボックス６を用いてダウンロード処理を実行したコンテンツデータ１０５を、携帯電話機１を利用して再生可能であり、ユーザは、外出先において、画像を閲覧することや、音声を再生して楽しむことが可能である。
【図面の簡単な説明】
【００７８】
【図１】第１の実施の形態に係る記憶システムを示す図である。
【図２】第１の実施の形態に係る記憶システムを示す図である。
【図３】著作権保護データのコピーコントロールを示す図である。
【図４】第２の実施の形態に係る記憶システムを示す図である。
【図５】第２の実施の形態に係る記憶システムを示す図である。
【図６】第３の実施の形態に係る記憶システムを示す図である。
【図７】第３の実施の形態に係る記憶システムを示す図である。
【符号の説明】
【００７９】
１    携帯電話機
２    （セキュア機能付）メモリカード
３    ネットワーク
４    ストレージサーバ
５    コンテンツサーバ
６    セットトップボックス
１１  データ転送部
１２  暗号処理部
１３，６２  データ再生部
１４，６３  内蔵メモリ
１５，６４  メモリカードスロット
１６  カメラ
１７，６１  ダウンロード処理部
２１  セキュア領域
２２  データ領域
４１  拡張記憶装置
５１  記憶装置
５２  暗号処理部
１０１，１０５  コンテンツデータ
１０２，１０６  鍵データ
１０３，１０７  エイリアスデータ
１０４，１０８  関連データ
【図１】
2007166125.tif 000003
【図２】
2007166125.tif 000004
【図３】
2007166125.tif 000005
【図４】
2007166125.tif 000006
【図５】
2007166125.tif 000007
【図６】
2007166125.tif 000008
【図７】
2007166125.tif 000009